(57)【特許請求の範囲】
【請求項１】
所定形状をなす最下段の基準商品載置台上に、これより順次小さくなるがほぼ同形状の１以上の相似商品載置台を積み重ね、これら基準商品載置台及び相似商品載置台はこれらの表面及び裏面における周縁部に商品の移動を防ぐ阻止溝を設け、且つこれらの周縁面を傾斜させこれらの表面及び裏面の商品載置面積を変えてなり、この状態の基準商品載置台及び相似商品載置台を少なくとも２分割して、基準載置エレメント及び１以上の相似載置エレメントを形成し、前記基準載置エレメント上に前記相似載置エレメントを表面及び裏面に関わりなく大きい順に積み重ねてなることを特徴とする単位商品陳列台。
【請求項２】
前記基準載置エレメント及び前記１以上の相似載置エレメントは、前記基準商品載置台及び前記１以上の相似商品載置台を４分割したものであることを特徴とする請求項１記載の単位商品陳列台。
【請求項３】
前記基準載置エレメント２個の同一面同士を合わせて１の基準載置エレメントにすると共に、同サイズの前記相似載置エレメント２個の同一面同士を合わせて１の相似載置エレメントにすることを特徴とする請求項１又は２記載の単位商品陳列台。
【請求項４】
請求項２又は３記載の単位商品陳列台を２つ合わせてなることを特徴とする集合商品陳列台。
【請求項５】
請求項２又は３記載の単位商品陳列台を３つ合わせてなることを特徴とする集合商品陳列台。
【発明の詳細な説明】
【０００１】
【発明の属する技術分野】
本発明は、主にスーパー、百貨店、専門店等の店内で商品を陳列するのに用いられ、商品の特性や商品量並びに店内状況により、陳列を多面的に変えることが出来る単位商品陳列台及びそれの集合商品陳列台に関するものである。
【０００２】
【従来の技術】
従来、スーパー等の店内で商品を陳列する方法は、最も単純なものとして、（1）水平の陳列台に仕切りを設け、その仕切りごとに商品を並べたり、箱等に商品を並べ、この箱等ごと水平の陳列台に載せたものがある。また、(2)傾斜している陳列台に仕切りや雛壇を設け、その仕切りや雛壇ごとに商品を並べたり、箱等に商品を並べこの箱等ごと直接傾斜の陳列台に載せたものがある。また、(3)水平あるいは傾斜を選択でき、しかも傾斜角も選択出来る角度選択型陳列台に仕切りを設けて、その仕切りごとに商品を並べたり、箱等に商品を並べこの箱等ごと角度選択型陳列台に載せたものもある。更に、(4)上記の、(2)、(3)の傾斜している陳列台の代わりに、仕切り板や雛壇を予め設けてある商品陳列棚を台に載せ、この仕切り板や雛壇に直接商品を並べるものもある。
【０００３】
これらスーパー等の店内での商品陳列方法は、それにより商品の売れ行きが左右されることが多いから、上記した方法以外にも工夫を凝らし、様々な方法が取られ、その模様替えも頻繁に行われる。しかし、その基本とするところは、店内の状況に適合した、水平の陳列台、傾斜の陳列台、角度選択型陳列台等の各種の陳列台に、仕切り板や箱等により商品を仕切り陳列するか、仕切り板や雛壇を設けてある商品陳列棚を設置台に載せ、それらの仕切り板や雛壇により商品を仕切り陳列するところにある。
【０００４】
【発明が解決しようとする課題】
上記(1)〜(3)の商品陳列方法では、店内の状況に適合した、各種の陳列台に合わせた仕切り板や箱等を用意する必要があり、それらの仕切り板や箱等は、使用した陳列台以外には全く使用できなかったり、あるいは使用できても見た目勝負の色彩の強い商品陳列では、結局使用できないことが多い。このため、仕切り板や箱等は、各種形状のもの及びその形状における各サイズのものが必要になり、模様替えの度に不用となる仕切り板や箱等が出てきたり、新たにこれらを購入する必要が生じる。また、逆に不用となった仕切り板や箱等は、再び使用する機会があると想定されるから、廃棄できず保管することになる確率が高く、従ってそのための保管スペースが必要となる。
【０００５】
また、(4)の商品陳列棚は、予め仕切り板や雛壇が設けてあるから、取扱が容易で、上記した(1)〜(3)の商品陳列方法における不都合が少なくなり、都合が良い。しかし、最近の傾向である商品の多様化、競争激化による頻繁な模様替えに対して、この商品陳列棚は、予め設けてある仕切り板や雛壇を変更することが困難であるから、十分に対応できず、様々な形状の商品陳列棚が必要になる。結局、上記した(1)〜(3)の商品陳列方法の不都合な点が再浮上して、新たな問題となる。
【０００６】
従って、本発明の目的は、商品の多様化、頻繁な模様替え、店内状況に対応可能であることに加え、これらの対応による不用品の発生、その保管スペース、新規購入を減らすことができる単位商品陳列台及びそれの集合商品陳列台を提供することにある。
【０００７】
【課題を解決するための手段】
かかる状況において、本発明者らは、鋭意検討を行った結果、所定形状を成す最下段の基準商品載置台上に、これより順次小さくなるがほぼ同形状の１以上の相似商品載置台を積み重ねたものを４分割して単位商品陳列台とし、この単位商品陳列台を構成する基準載置エレメント及び１以上の相似載置エレメントの表面及び裏面の周縁部に、商品の移動を防ぐ阻止溝を設け、且つこれらの周縁面を傾斜させこれらの表面及び裏面の商品載置面積を変え、これらの表裏面に関わりなく大きい順に積み重ねることで、様々な陳列形状を創設でき、更に単位商品陳列台を集合させ得るから、種々の状況下でも、予め用意してある上記陳列資材の範囲内で適切に対応できることを見出し、本発明を完成するに至った。
【０００８】
すなわち、本発明の請求項１に記載の単位商品陳列台は、所定形状を成す最下段の基準商品載置台上に、これより順次小さくなるがほぼ同形状の１以上の相似商品載置台を積み重ね、これら基準商品載置台及び相似商品載置台はこれらの表面及び裏面における周縁部に商品の移動を防ぐ阻止溝を設け、且つこれらの周縁面を傾斜させこれらの表面及び裏面の商品載置面積を変えてなり、この状態の基準商品載置台及び相似商品載置台を少なくとも２分割して、基準載置エレメント及び１以上の相似載置エレメントを形成し、前記基準載置エレメント上に前記相似載置エレメントを表面及び裏面に関わりなく大きい順に積み重ねてなることを特徴とする。
【０００９】
請求項２に記載の発明は、前記基準載置エレメント及び前記１以上の相似載置エレメントは、前記基準商品載置台及び前記１以上の相似商品載置台を４分割したものであることを特徴とする。
【００１０】
請求項３に記載の発明は、前記基準載置エレメント２個の同一面同士を合わせて１の基準載置エレメントにすると共に、同サイズの前記相似載置エレメント２個の同一面同士を合わせて１の相似載置エレメントにすることを特徴とする。
【００１１】
請求項４に記載の集合商品陳列台は、請求項２又は３記載の単位商品陳列台を２つ合わせてなることを特徴とする。
【００１２】
請求項５に記載の集合商品陳列台は、請求項２又は３記載の単位商品陳列台を３つ合わせてなることを特徴とする。
【００１３】
【発明の実施の形態】
次に、本発明の実施の形態における単位商品陳列台及び集合商品陳列台を図１〜図１０に基づいて詳述する。図１は本発明の実施の形態である集合商品陳列台を示す斜視図、図２は単位商品陳列台の分離状態を示す斜視図、図３は本発明の実施の形態である単位商品陳列台の使用状態を示す側面図である。図において、Ａは集合商品陳列台を示し、この集合商品陳列台Ａは４つの単位商品陳列台１の集合体である。単位商品陳列台１は、所定形状を成す最下段の基準商品載置台２上に、これより順次小さくなるがほぼ同形状の１以上の相似商品載置台３、３ａを積み重ね、これら基準商品載置台２及び相似商品載置台３、３ａはこれらの表面及び裏面における周縁部に商品４の移動を防ぐ阻止溝５及び６を設け、且つこれらの周縁を傾斜させ傾斜縁面７とし、これらの表面及び裏面の商品載置面積を変えてなり、この状態の基準商品載置台２及び相似商品載置台３、３ａを少なくとも２分割して、基準載置エレメント８及び１以上の相似載置エレメント９、９ａを形成し、基準載置エレメント８上に相似載置エレメント９、９ａを表面及び裏面に関わりなく大きい順に積み重ねてなるものである。
【００１４】
前記基準商品載置台２は、所定の厚みを有し、同じく所定の厚みを有する相似商品載置台３を積み重ね支持するものであり、これらを少なくとも２分割しても違和感のないものであれば、特にその形状に限定がない。基準商品載置台２と相似商品載置台３、３ａとは相似関係にあるが、厳密な意味での相似ではない。基準商品載置台２の上に相似商品載置台３、３ａを載せた際、全体として類似しているという印象を与える程度のものである。すなわち、これらの周縁部には商品４の移動を防ぐための阻止溝５及び６が設けられるが、厳密な意味での相似では阻止溝５及び６も相似比に沿って大きさが変わるが、図３に示すとおり、同一の大きさとなっている。これは基準商品載置台２に陳列する商品と相似商品載置台３、３ａに陳列する商品とは同一であることが殆どであるからである。なお、図１〜図３に示す実施の形態では、２つの相似商品載置台３、３ａ中、相似商品載置台３ａには上記の商品４の移動を防ぐための阻止溝５及び６が設けられていない。この点でも厳密な意味での相似でないことを示している。
【００１５】
図１の状態の基準商品載置台２及び１以上の相似商品載置台３、３ａを少なくとも２分割、すなわち、４分割して基準載置エレメント８及び相似載置エレメント９、９ａを形成している。そして、単位商品陳列台１は、図１〜図３の実施形態で示すように、基準載置エレメント８上に相似載置エレメント９及び９ａを積み上げることで構成している。この基準載置エレメント８は、その表面１０に前記阻止溝５、その裏面１１に前記阻止溝６が設けられ、これらの阻止溝５、６の外側がやや盛り上がり、商品転落防止突起１２となっている。また、基準載置エレメント８の傾斜縁面７は、表面１０側から裏面１１側へと傾斜しているから、表面１０の商品載置面積Ｓ１は、裏面１１の商品載置面積Ｓ２よりも小さくなっている。
【００１６】
相似載置エレメント９は、基準載置エレメント８と同様に、その表面１３に阻止溝５、その裏面１４に阻止溝６が設けられ、商品転落防止突起１２も設けられ、傾斜縁面７が表面１３側から裏面１４側へと傾斜し、表面１３の商品載置面積Ｓ３は、裏面１４の商品載置面積Ｓ４よりも小さくなっている。相似載置エレメント９ａは、傾斜縁面７が表面１５側から裏面１６側へと傾斜し、表面１５の商品載置面積Ｓ５は、裏面１６の商品載置面積Ｓ６よりも小さくなっているが、阻止溝５、６及び商品転落防止突起１２は設けられていない。これは相似載置エレメント９ａが小さいことと、その下の相似載置エレメント９に設けられた阻止溝５、６及び商品転落防止突起１２により、商品４の移動及び転落を最終的に防止できる、としていることによる。
【００１７】
上記したように、基準載置エレメント８上に相似載置エレメント９及び９ａを積み上げることで構成した単位商品陳列台１は、図４に示すように、キャスター２０付の台車２１に載せられ、使用されてもよい。この台車２１は、キャスター２０付の下部箱体２２及び上部箱体２３の上に敷き板２４を載せてなり、上部箱体２３は外すことができるようになっている。また、単位商品陳列台１を４つ集合させて、図１及び図５に示すように、集合商品陳列台Ａとして、これに商品４を載せて使用してもよい。更に、図４に示すキャスター２０付の台車２１に単位商品陳列台１を載せたものを、４つ集合させて台車２１付の集合商品陳列台Ａとして、使用してもよい。なお、単位商品陳列台１を２つ集めて使用したり、３つ集めて使用しても何ら差し支えなく、更に台車２１付でも良く、この場合には離合集散が容易であるから重宝し、一層の商品陳列のバリエーションを達成できる。
【００１８】
図６〜図９に示す実施の形態例は、基準載置エレメント８、相似載置エレメント９及び９ａの裏面１１、１４、１６を上にして、積み重ねて単位商品陳列台１ａを構成し、且つ単位商品陳列台１ａを４つ集合させて、図８及び図９に示すように、集合商品陳列台Ａ１としたものである。従って、上記した図１〜図５に示す実施の形態との相違点は、基準載置エレメント８、相似載置エレメント９及び９ａの裏面１１、１４、１６の方が、その商品載置面積Ｓ２、Ｓ４、Ｓ６が表面１０、１３、１５の商品載置面積Ｓ１、Ｓ３、Ｓ５より広い点にあり、それにより異なった商品陳列のバリエーションを得ることができる。その他の構成及び作用は図１〜図５に示す実施の形態と同様なので、図面に符号を付してその詳細な説明を省略する。なお、これらの単位商品陳列台１ａを４つ集合させた集合商品陳列台Ａ１は、図４に示すキャスター２０付の台車２１に載せて、使用できることは言うまでもない。また、単位商品陳列台１ａを２つ集めて使用したり、３つ集めて使用しても何ら差し支えなく、更にこれらは台車２１付でも良く、この場合には離合集散が容易であるから重宝し、なお一層の商品陳列のバリエーションを達成できる。
【００１９】
図１０に示す実施の形態は、２個の基準載置エレメント８、２個の相似載置エレメント９及び９ａの裏面１１、１４、１６同士を合わせて重ねて、各一つの基準載置エレメント８Ａ、相似載置エレメント９Ａ及び９Ｂを構成し、更にこれらを積み重ねて単位商品陳列台１ｂを構成したものであり、それにより異なった商品陳列のバリエーションを得ることができる。この場合、図１〜図５及び図６〜図９の実施の形態よりも高さが２倍となるから、高すぎるとの判断があればキャスター２０付の台車２１の上部箱体２３を外して、下部箱体２２上に敷き板２４を載せて、その上に単位商品陳列台１ｂを載せて使用することになる。その他の構成及び作用は図１〜図５に示す実施の形態と同様なので、図面に符号を付してその詳細な説明を省略する。なお、商品陳列台１ｂを２〜４つ集合させて使用してもよいし、また、台車２１が有っても無くてもよい。
【００２０】
更に、２個の基準載置エレメント８、２個の相似載置エレメント９及び９ａの表面１０、１３、１５同士を合わせて重ねて、各一つの基準載置エレメント及び相似載置エレメントを構成し、更にこれらを積み重ねて単位商品陳列台を構成しても良く、この単位商品陳列台を２〜４つ集合させて使用してもと良いし、それらにより更に異なった商品陳列のバリエーションを得ることができる。
【００２１】
以上、本発明の実施形態を説明したが、具体的な構成はこれに限定されず、本発明の要旨を逸脱しない範囲での変更、追加は本発明の範囲内である。
【００２２】
【発明の効果】
以上詳述したように、請求項１の発明によれば、基準載置エレメント及び１以上の相似載置エレメントを表面及び裏面に関わりなく大きい順に積み重ねたり、同じエレメントを重ねたりして、種々の商品陳列のバリエーションを得、これらの表面及び裏面の商品陳列面積が異なり、陳列対応できる商品に余裕が生じ、表面及び裏面に設けた阻止溝により商品が移動しずらくなり商品の転落が防げる。従って、商品の多様化、頻繁な模様替え、店内状況に対応可能であり、客の購買意欲を高いレベルに常に保持出来、これに加えてこれらの対応による不用品の発生、その保管スペース、新規購入を減らすことができる効果がある。
【００２３】
請求項２の発明によれば、基準載置エレメント及び１以上の相似載置エレメントは、基準商品載置台及び１以上の相似商品載置台を４分割したものであるから、店内状況に対応しやすい。従って、上記効果に加え、特に店内事情に極めて容易に対応できる効果がある。
【００２４】
請求項３の発明によれば、基準載置エレメントの同一面を合わせて１の基準載置エレメントにし、同サイズの相似載置エレメントでも１の相似載置エレメントに出来るから、商品陳列のバリエーションが増え、陳列対応できる商品に余裕が生じる。従って、上記効果に加え、更に商品の多様化、頻繁な模様替えに応えやすくなり、客の購買意欲を高いレベルで保持できる。
【００２５】
請求項４の発明によれば、上記した単位商品陳列台を２つ合わせて集合商品陳列台を形成するから、店内状況に対応しやすい。従って、上記効果に加え、特に店内事情に極めて容易に対応できる効果がある。
【００２６】
請求項５の発明によれば、上記した単位商品陳列台を３つ合わせて集合商品陳列台を形成しても、店内状況に対応しやすい。従って、上記効果に加え、特に店内事情に極めて容易に対応できる効果がある。
【図面の簡単な説明】
【図１】本発明の実施の形態である集合商品陳列台を示す斜視図である。
【図２】本発明の実施の形態である単位商品陳列台の分離状態を示す斜視図である。
【図３】本発明の実施の形態である単位商品陳列台の使用状態を示す側面図である。
【図４】本発明の実施の形態である単位商品陳列台の使用状態を示す側面図である。
【図５】本発明の実施の形態である集合商品陳列台の使用状態を示す斜視図である。
【図６】本発明の実施の形態である単位商品陳列台の他の分離状態を示す斜視図である。
【図７】本発明の実施の形態である単位商品陳列台の他の使用状態を示す側面図である。
【図８】本発明の実施の形態である集合商品陳列台の他の集合状態を示す斜視図である。
【図９】本発明の実施の形態である集合商品陳列台の他の使用状態を示す斜視図である。
【図１０】本発明の実施の形態である単位商品陳列台の他の利用状態を示す側面図である。
【符号の説明】
１、１ａ、１ｂ            単位商品陳列台
２                        基準商品載置台
３、３ａ                  相似商品載置台
４                        商品
５、６                    阻止溝
７                        傾斜縁面
８、８Ａ                  基準載置エレメント
９、９ａ、９Ａ、９Ｂ      相似載置エレメント
１０、１３、１５          表面
１１、１４、１６          裏面
１２                      商品転落防止突起
２０                      キャスター
２１                      台車
２２                      下部箱体
２３                      上部箱体
２４                      敷き板
Ａ                        集合商品陳列台
Ｓ１〜Ｓ６                商品載置面積
【図１】
0004030001.tif 000002
【図２】
0004030001.tif 000003
【図３】
0004030001.tif 000004
【図４】
0004030001.tif 000005
【図５】
0004030001.tif 000006
【図６】
0004030001.tif 000007
【図７】
0004030001.tif 000008
【図８】
0004030001.tif 000009
【図９】
0004030001.tif 000010
【図１０】
0004030001.tif 000011